(57)【要約】【課題】この発明の課題は、転回可能な粘着面を有する清掃具を確実且つ簡便に収容することのできる清掃具収容構造を提供することにある。【解決手段】本願発明の清掃具収容構造は、外面に設けられる粘着面が転回するように回転可能に設けられた回転体１１０を備えた清掃具１００と、該清掃具１００を収容可能な収容部Ｓとを有し、前記清掃具１００の回転体１１０および前記収容部Ｓには、面接触されることによって離脱可能に取付けられる取付部（たとえば磁石１４０）および被取付部（たとえば鉄製の板材２１０）が設けられている。【選択図】図４
2007236822.tif 000002
【特許請求の範囲】
【請求項１】
外面に設けられる粘着面が転回するように回転可能に設けられた回転体を備えた清掃具と、該清掃具を収容可能な収容部とを有し、
前記清掃具の回転体および前記収容部には、面接触されることによって離脱可能に取付けられる取付部および被取付部が設けられていることを特徴とする清掃具収容構造。
【請求項２】
外面に設けられる粘着面が転回するように回転可能に設けられた回転体を収容可能な収容部を有し、
前記収容部には、前記清掃具の回転体に設けられた取付部との面接触によって該取付部を離脱可能に取付けることのできる被取付部が設けられていることを特徴とする清掃具収容構造。
【請求項３】
請求項１または２記載の清掃具収容構造であって、
前記収容部には、前記清掃具を出し入れするための開口部を有するとともに、該開口部を開閉するための蓋体が設けられていることを特徴とする清掃具収容構造。
【請求項４】
請求項１乃至３の何れかに記載の清掃具収容構造であって、
前記収容部は、建築物の壁部に設けられていることを特徴とする清掃具収容構造。
【請求項５】
請求項１乃至４の何れかに記載の清掃具収容構造であって、
前記収容部の被取付部は、該収容部に清掃具を収容した際に、該清掃具の回転体の外面に設けられる粘着面が、該収容部の内面に当接しない位置に設けられていることを特徴とする清掃具。
【請求項６】
請求項１乃至５の何れかに記載の清掃具収容構造であって、
前記取付部は、前記清掃具の回転体の回転軸付近に設けられていることを特徴とする清掃具。
【請求項７】
外面に設けられる粘着面が転回するように回転可能に設けられた回転体を備えた清掃具であって、
該回転体の回転軸付近において該回転体には、清掃具の収容部に設けられた被取付部との面接触によって該被取付部に離脱可能に取付けられる取付部が設けられていることを特徴とする清掃具。
【発明の詳細な説明】
【技術分野】
【０００１】
この発明は、外面に設けられる粘着面が転回するように回転可能に設けられた回転体を備えた清掃具に関するものである。
【背景技術】
【０００２】
前述した清掃具としては、使用者が把持する把持部から伸びたフレームに前記回転体が回転自在に連結され、該回転体の外側に、外面側に粘着面が位置するように巻かれた粘着テープが交換可能に取付けられているものが一般的である。かかる清掃具は、把持部を把持して、清掃対象面に粘着面を当接させて、回転体を回転させることにより清掃を行うことができるものであった。特に、犬や猫のペットを室内で飼っている場合には、ペットの毛等を除去するために、かかる清掃具は極めて有用である。
【０００３】
この清掃具の収容部材としては、前記回転体の部位のみを覆うような略円筒状のプラスチック製のものが公知である。
【０００４】
そして、この収容部材としては、たとえば、ヒンジ部を介して開閉可能に連結された一対の断面略半円状の半円状部材から構成されているものが存在し、この一対の半円状部材が開閉されることにより、清掃具の収容・取出しが行われるものである。
【０００５】
また、前記収容部材としては、前記回転体を軸方向に沿って挿入すべく、略円筒状の収容部材の一側が開放されているものも存在する。この収容部材にあっては、開放されている部位から前記回転体を挿入脱することによって、清掃具の収容・取出しが行われるものである。
【０００６】
しかるに、上記何れの収容部材にあっても、前述した清掃具の収容・取出しの作業が煩雑であった。このため、かかる収容部材に清掃具を収容せずに、清掃具をそのまま放置していることが現状では多くなされている。また、前記収容部材に収容した場合にあっても、該清掃具の保管場所が明確ではなく、清掃具使用後に使用場所付近に放置されることもあり、このため、実際に使用したい場合に清掃具を発見するために時間を要する場合も存在する。
【発明の開示】
【発明が解決しようとする課題】
【０００７】
そこで、本発明は上記事実に鑑みてなされたものであり、この発明の課題は、確実且つ簡便に収容することのできる清掃具収容構造および清掃具を提供することにある。
【課題を解決するための手段】
【０００８】
本願発明は上記の課題を解決すべくなされたものであり、本願発明に係る清掃具収容構造は、外面に設けられる粘着面が転回するように回転可能に設けられた回転体を備えた清掃具と、該清掃具を収容可能な収容部とを有し、前記清掃具の回転体および前記収容部には、面接触されることによって離脱可能に取付けられる取付部および被取付部が設けられていることを特徴とする。
【０００９】
また、本願発明に係る清掃具収容構造は、外面に設けられる粘着面が転回するように回転可能に設けられた回転体を収容可能な収容部を有し、前記収容部には、前記清掃具の回転体に設けられた取付部との面接触によって該取付部を離脱可能に取付けることのできる被取付部が設けられていることを特徴とする。
【００１０】
上記構成からなる本願発明にあっては、被取付部に取付部を面接触させて取付けることにより、清掃具を収容部に容易に収容させることができる。一方、収容部に収容されている清掃具の取付部と収容部の被取付部との面接触を解除するように清掃具を引っ張り出すことによって、清掃具を容易に取出すことができる。なお、本願発明において、取付部と被取付部との面接触による取付にあっては、たとえば取付部と被取付部とに面ファスナーを設ける構成を採用することもできる。ただし、取付部と被取付部とが、互いに磁力によって取付・離脱される構成を採用することで、本願発明を構成することが好ましい。
【００１１】
また、本願発明に係る清掃具収容構造にあっては、収容部には、前記清掃具を出し入れするための開口部を有するとともに、該開口部を開閉するための蓋体が設けられている構成を採用することが好ましい。これにより、収容された清掃具に、ゴミ等が付着しにくいとともに、該清掃具が外部から視認されにくく美観に優れている。なお、該蓋体は、閉塞時に開口部全面を覆うように設けることも可能であるが、開口部の一部を開放状態として収容されている清掃具の回転体の部分が視認されにくいように設けることも可能である。
【００１２】
また、本願発明に係る清掃具収容構造にあっては、収容部が、建築物の壁部に設けられている構成を採用することが好ましい。これにより、清掃具の一定場所に確実に保管することが可能となる。なお、前記収容部は、建造物の内壁（壁部）自体の厚みを利用した壁内への埋込状態で設けられていることが好ましい。
【００１３】
また、本願発明に係る清掃具収容構造にあっては、前記収容部の被取付部が、該収容部に清掃具を収容した際に、該清掃具の回転体の外面に設けられる粘着面が、該収容部の内面に当接しない位置に設けられている構成を採用することが好ましい。これにより、清掃具を収容部に収容している際に、該清掃具の粘着面が収容部の内面に当接することがなく、収容部の内面との当接による粘着面の粘着力の低下を防止することができる。
【００１４】
また、本願発明に係る清掃具収容構造にあっては、前記取付部が、前記清掃具の回転体の回転軸付近に設けられている構成を採用することが好ましい。これにより、粘着面が外面に設けられる回転体の回転軸において清掃具を取付けることができ、このため、粘着面が他の部材に当接しない状態で収容部に収容できる構造に設計しやすく、また、清掃具の出し入れに際して清掃具の粘着面が収容部の内面に当接しにくいという利点を有する。また、該清掃具を回転体の軸心が上下方向に沿うように収容できるように被取付部を位置させることによって、清掃具の重心位置に近い回転軸付近の取付部において清掃具を収容部に収容できるため、安定した状態で清掃具を収容することができる。
【００１５】
また、本願発明に係る清掃具にあっては、外面に設けられる粘着面が転回するように回転可能に設けられた回転体を備えた清掃具であって、該回転体の回転軸付近において該回転体には、清掃具の収容部に設けられた被取付部との面接触によって該被取付部に離脱可能に取付けられる取付部が設けられていることを特徴とする。
【００１６】
かかる構成からなる本願発明に係る清掃具にあっては、既述の本願発明に係る清掃具収容構造に利用することができる利点を有する。
【発明を実施するための最良の形態】
【００１７】
以下、本願発明の実施の形態について、以下、図面を参酌しつつ説明する。なお、各図は、本実施形態の全体構成を説明するための説明図であって、図１は、蓋体２２０の開放状態における概略的正面図である。また、図２は、蓋体２２０の閉塞状態における概略的正面図である。図３は、蓋体２２０の閉塞状態における概略的斜視図である。図４は、蓋体２２０の開放状態において本実施形態の清掃具収容構造の構造を分解的に説明するための概略的分解斜視図である。図５は、蓋体２２０の閉塞状態における概略的断面側面図である。なお、図１乃至図４においては、建物の壁部の表示を省略している。
【００１８】
まず、本実施形態の全体構成について説明すると、本実施形態の清掃具収容構造は、外面に設けられる粘着面が転回するように回転可能に設けられた回転体１１０を備えた清掃具１００と、建物の壁部に設けられとともに該清掃具１００を収容可能な収容部Ｓを有する収容部材２００とからなるものである。
【００１９】
前記清掃具１００は、使用者が把持する把持部１２０から伸びたアーム１３０に前記回転体１１０が回転自在に連結され、該回転体１１０の外側に、外面側に粘着面が位置するように巻かれた粘着テープが交換可能に取付けられているものであり、詳述すると、前記アーム１３０は、把持部１２０が設けられ前記回転体１１０の軸心方向に対して垂直な垂直部１３１、この垂直部１３１から直角方向に屈曲された第一屈曲部１３３、この第一屈曲部１３３から前記垂直部１３１と平行方向に屈曲された第二屈曲部１３５、この第二屈曲部１３５から前記第一屈曲部１３３と平行方向に前記垂直部１３１の方向に向けて屈曲された第三屈曲部１３７から構成されており、この第三屈曲部１３７において前記回転体１１０が回転可能に保持されているものである。
【００２０】
また、該清掃具１００の回転体１１０には、前記アーム１３０に連結される一端の反対側の他端に、磁石１４０が取付けられており、該磁石１４０が、後述する収容部Ｓの鉄製の板体２１０（被取付部）に磁力によって取付けられる取付部として機能する。なお、磁石１４０は回転体１１０に取付けられることにより、把持部１２０に対しては相対的に回転可能に設けられることになる。また、この磁石１４０は、前記回転体１１０の他端に設けられた孔部に嵌り込むとともに前記板体２１０との当接面１４１が回転体１１０よりも少し突出するように、該回転体１１０に取付けられている。
【００２１】
また、前記収容部材２００は、一面が開放された開放面として設けられた有底長方体状の部材から構成されており、この内部が前記収容部Ｓとして機能するものであり、この収容部Ｓは、建造物の内壁（壁部３００）自体の厚みを利用した壁内への埋込状態で設けられており、本実施形態においては、収容部材２００の正面２０１が、建造物の壁部３００の通常の壁面３０１と略面一となるように設けられている（図５参照）。
なお、この収容部材２００は、図示例においては、木材から形成されるものについて説明しているが、たとえばプラスチック等の成型品から構成することも可能であり、このように成型品から構成する場合には、該収容部材２００に前記開放面の縁部が外側に延出した鍔部を設ける構成を採用することが好ましく、これにより、鍔部によって建造物の壁部に該収容部材２００を設置するために形成した孔部の加工部位（縁部）を目隠しすることが可能となる。
【００２２】
また、該収容部Ｓの上面には、前記回転体１１０の磁石１４０に磁力によって取付けられる鉄製の板体２１０（被取付部）が設けられている。
【００２３】
また、前記板体２１０は、正面視中央よりも一側（図示例では左側）に寄せた位置に設けられており、一側には清掃具１００の回転体１１０が、他側には清掃具１００の把持部１２０が収容されるように設けられている。また、該板体２１０は、前記収容部Ｓの内壁および後述する蓋体２２０に清掃具１００の粘着面が当接しないような位置に設けられている。
【００２４】
また、前記収容部材２００の開放面（前面）は、清掃具１００を出し入れするための収容部Ｓの開口部として機能するとともに、該開口部を開閉するための蓋体２２０が前記収容部材２００に取付けられている。ここで、該蓋体２２０は、前記板体２１０が寄せられた側（図示例では左側）の縁部を回動軸として回動するように設けられており、具体的には、収容部材２００の左側の縁部とヒンジをもって連結されている。この蓋体２２０は、閉塞時において開放面の全面ではなく一部のみを閉塞するような大きさに設けられている。なお、蓋体２２０には、穿孔が形成されている。
【００２５】
上記構成からなる清掃具収容構造にあっては、清掃具１００を収容するにあたっては、収容部Ｓの蓋体２２０を開放して、収容部Ｓの板体２１０に使用者が把持している清掃具１００の磁石１４０を近接させて、磁石１４０と板体２１０とを磁力によって取付け、清掃具１００の把持部１２０を収容部Ｓ側に回動させて、蓋体２２０を閉塞させることにより、清掃具１００を収容することができる。一方、清掃具１００を取出すにあたっては、収容部Ｓの蓋体２２０を開放して、清掃具１００の把持部１２０を把持して、この把持部１２０を前面側に回動させて、磁石１４０と板体２１０との磁力に抗して清掃具１００を引っ張り出すことによって、清掃具１００を取出すことができる。
【００２６】
なお、本実施形態の清掃具収容構造は上記構成からなるものについて説明したが、本願発明はこれに限定されるものではなく、本願発明の意図する範囲内において適宜設計変更可能である。
【００２７】
つまり、上記実施形態においては、蓋体２２０を設けるものについて説明したが、蓋体２２０は本願発明の必須の構成要件ではなく、また、蓋体２２０を設ける場合にあっても、種々の蓋体２２０を採用することが可能である。
【００２８】
また、上記実施形態においては、回転体１１０の取付部として磁石１４０を、収容部Ｓの被取付部として鉄製の板体２１０を採用したものについて説明したが、たとえば、回転体の取付部として板体を、収容部の被取付部として磁石を採用したり、両者を磁石とすることも可能である。また、取付部および被取付部として、いわゆる面ファスナー（複数の係合突起片を有する雄面（取付部または被取付部の何れか一方）と、複数のループ状部材を有する雌面（他方）とが、面接触されることによって雄面と雌面との係合状態を得る構造）を採用することも可能であるが、本願発明にあっては、上記のように、磁力によって互いに取付・離脱可能に設けられた取付部および被取付部の構成を採用することが好ましく、これにより、清掃具の収容がより簡便になるという利点を有する。
【００２９】
また、上記実施形態においては、被取付部を収容部Ｓの上面に設けたものについて説明したが、該板体を収容部の側面に設けることも可能である。ただし、取付けた際の清掃具の重心位置とのバランスを考慮すると、前述のように収容部の上面若しくは下面に板材を設けることが好ましく、これによって、清掃具を安定した状態で収容部に収容することができる。
【００３０】
また、上記実施形態においては、回転体１１０に設けられた取付部における磁力のみによって収容部Ｓに清掃具１００が収容されるように設けたものについて説明したが、本願発明はこれに限定されるものではなく、たとえば補助的に清掃具１００の把持部１２０（たとえば清掃具を吊り下げるための孔部）またはアーム１３０を支持するような構造を設けることも適宜設計変更可能な事項である。なお、上述のように収容部Ｓの側面に被取付部を設ける場合には、上記清掃具１００の把持部１２０またはアーム１３０を支持するような構造を設けることによって収容した清掃具１００の安定を図ることも可能である。
【００３１】
また、上記実施形態においては、収容部材２００が建造物の壁部２００に埋め込まれた構造のものについて説明したが、本願発明はこれに限定されるものではなく、たとえば、上記実施形態の収容部材が単独で設置されるように設けることも可能である。さらに、本願発明に係る清掃具にあっては、既存の設備に収容されるように設けることも可能であり、たとえば、上記実施形態の清掃具を既存のロッカー等に磁力をもって取付けることによって収容することも本願発明の意図する範囲内である。
【図面の簡単な説明】
【００３２】
【図１】本願発明の一実施形態の清掃具収容構造を説明するための概略的説明図であって、蓋体の開放状態における概略的正面図である。
【図２】同実施形態の蓋体の閉塞状態における概略的正面図である。
【図３】同実施形態の蓋体の閉塞状態における概略的斜視図である。
【図４】同実施形態の蓋体の開放状態において本実施形態の清掃具収容構造の構造を分解的に説明するための概略的分解斜視図である。
【図５】同実施形態の蓋体の閉塞状態における概略的断面側面図である。
【符号の説明】
【００３３】
１００  清掃具
１１０  回転体
１２０  把持部
１３０  アーム
１４０  取付部（磁石）
１４１  当接面
２００  収容部材
２１０  被取付部（鉄製の板材）
２２０  蓋体
Ｓ      収容部
【図４】
2007236822.tif 000003
【図５】
2007236822.tif 000004
【図１】
2007236822.tif 000005
【図２】
2007236822.tif 000006
【図３】
2007236822.tif 000007